(57)【要約】【課題】タッチキーに水や煮汁等が付着して誤動作を起こす前に、警報を発したり、動作を停止させたりして安全性を確保する。【解決手段】電気絶縁物よりなるパネル部１と、このパネル部に設けた電極部と、所定の周波数の電圧を出力して前記電極部に印加する発振部４と、前記電極部の出力電圧を検知する検知部５よりなり、電極部は導電性の線状部を有する構成にし、この線状部を他のタッチキー等の操作部や表示部等の周囲を取り囲んで設置することにより、水や煮汁等の操作部、表示部等への侵入の前にこの線状部に水、煮汁等が触れることで検知でき、警報を発したり動作を停止させたりすることができるものである。【選択図】図１
2005166392.tif 000002
【特許請求の範囲】
【請求項１】
電気絶縁物よりなるパネル部と、このパネル部表側に設けた表側電極と前記表側電極と対向し前記パネル部裏側に設けた裏側電極とを有する電極部と、所定の周波数の電圧を前記裏側電極に印加する発振部と、前記電極部の出力電圧を検知する検知部とを備え、前記電極部は前記パネル部の表側に配した導電性の線状部が接続された構成としたタッチキー。
【請求項２】
線状部は、機器への操作を入力する操作部あるいは表示部を囲んで設置した請求項１に記載のタッチキー。
【請求項３】
線状部は、該線状部に接続されていない他の表側電極を囲んで設置した請求項１に記載のタッチキー。
【請求項４】
線状部は、パネル部の外周近傍を外周に沿って設置した請求項１に記載のタッチキー。
【請求項５】
線状部は複数の表側電極に接続した請求項１に記載のタッチキー。
【請求項６】
請求項１〜５のいずれか１項に記載のタッチキーを備えた電磁調理器。
【発明の詳細な説明】
【技術分野】
【０００１】
本発明は、各種の機器、特に電磁調理器等のフラットパネルを有する機器のフラットパネル部に設けたタッチキーに関するものである。
【背景技術】
【０００２】
従来、この種のタッチキーは、例えば図７、図８に示すものが提案されている（例えば、特許文献１参照）。図７はタッチキーの側面から見た図で、１はガラス等の表面の平らな電気絶縁物のパネル部である。２２、２３はパネル部１の対向する位置に設けた電極部で、電極部２２、２３とパネル部１でコンデンサを形成している。発振部４は高周波電圧を発生し、この高周波電圧を電極部２３に接触する接触電極部１８を通じて電極部２３に印加し、電極部２２に指６で触れたとき高周波電圧を電極部２３、パネル部１、電極部２２、指６を通じてバイパスし、電極部２３に現れる電圧が指でタッチしないときの電圧より低下することを検知部５で検知して、電極部２２に触れたことを検知するものである。
【０００３】
図８はタッチキーを電磁調理器に適用した例で、パネル部上面より見た図である。１はガラス等でできたパネル部、２４、２５、２６、２７、２８、２９はパネル部１に設けた複数のタッチキーの表側電極である。タッチキー２４、２５、２６は例えば鍋置き部１６の設定温度を上げる、電源入り／切り、設定温度を下げる等の機能を割り当てる。タッチキー２７、２８、２９は同様に鍋置き部１７の設定温度を上げる、電源入り／切り、設定温度を下げる等の機能を割り当てる。鍋置き部１６、１７は、ここに鍋を置きパネル部１の下にあるコイル部（図示せず）より鍋に渦電流を流し、鍋を加熱し鍋内の食品を調理するものである。このようにパネル面にタッチキーを設けることにより、調理物を見ながら操作できるので、非常に使いやすいものになっている。
【特許文献１】実開昭５７−１０６１５２号公報
【発明の開示】
【発明が解決しようとする課題】
【０００４】
しかしながらこのような構成のものでは、パネル部に水をこぼしたり、あるいは加熱中の鍋から汁をふきこぼしたりしたとき、水あるいは汁が操作部や表示部等に付着して誤動作させるという課題があった。
【０００５】
本発明は、上記従来の課題を解決するもので、１つのタッチキーを構成する電極部に導電性の線状部を設け、この線状部を濡れると誤動作する部分、例えば他のタッチキーの電極部等の周囲に設置し、まずこの線状部に水等が着くと、これを検知し警報を発したり、あるいは動作を停止させたりするものである。
【課題を解決するための手段】
【０００６】
本発明は上記課題を解決するために、パネル部の表側に設けた電極部に導電性の線状部を設け、この線状部を操作部や表示部等の水に濡れると誤動作する部分を囲むよう設置し、水や汁等が流れてきてこの線状部に触れたとき、電極部を線状部と水や汁等を通じて接地し、発振部の出力電圧をバイパスし、検知部の入力電圧が下がるのを検知して、水や汁等が流れてきたことを検知するものである。
【発明の効果】
【０００７】
本発明の請求項１〜４に記載の発明によれば、電極部に導電性の線状部を設け、この線状部を操作部やパネル部の周囲に設置することにより、操作部に水等が流れてきたりあるいはパネル部に水等が侵入してきたことを検知することができ、警報を発したり動作を停止させたりして安全性を確保することができるものである。
【０００８】
請求項５に記載の発明によれば、電極部に設けた線状部に複数のタッチ部を設けたから機器の正面だけでなく、いろんな方向から楽にタッチできる機器を提供することができるものである。
【０００９】
請求項６に記載の発明によれば、本発明のタッチキーを電磁調理器に用いることにより、水等異物が操作用のタッチキーに触れて誤動作を起こさせる前に、これを検知することができ、警報を発するあるいは動作を停止させる等の処理をさせることができ安全で使いやすい電磁調理器を提供することができる。
【発明を実施するための最良の形態】
【００１０】
請求項１に記載の発明は、電気絶縁物よりなるパネル部と、このパネル部表側に設けた表側電極と前記表側電極と対向し前記パネル部裏側に設けた裏側電極とを有する電極部と、所定の周波数の電圧を前記裏側電極に印加する発振部と、前記電極部の出力電圧を検知する検知部とを備え、前記電極部は前記パネル部の表側に配した導電性の線状部が接続された構成とし、この線状部に異物がタッチしたことを検知することができるものである。
【００１１】
請求項２に記載の発明は、線状部は、機器への操作を入力する操作部あるいは表示部を囲んで設置したから、操作部や表示部等に水や汁等が流れてきたときこれを検知することができるものである。
【００１２】
請求項３に記載の発明は、線状部は、該線状部に接続されていない他の表側電極を囲んで設置したから、タッチキーに水や汁等が流れてきたときこれを検知することができるものである。
【００１３】
請求項４に記載の発明は、線状部は、パネル部の外周近傍を外周に沿って設置し、パネル部の周囲を囲んで設置した構成にしたから、パネ部に犬や猫、ねずみ等の小動物が乗るのを検知することができるものである。
【００１４】
請求項５に記載の発明は、線状部は複数のタッチ部を接続した構成にしたから、１組の電極で多くのタッチキーを構成することができる。
【００１５】
請求項６に記載の発明は、請求項１〜５のいずれか１項に記載のタッチキーを電磁調理器に用いたから、タッチパネルの誤検知が防止され、安全性に優れ使いやすい電磁調理器を提供することができる。
【００１６】
以下、本発明の実施例について図面を用いて説明する。なお、本実施の形態によって本発明が限定されるものではない。
【００１７】
（実施の形態１）
本実施例について図１、図２を用いて説明する。図１は本発明のタッチキーの側面図、図２は本発明のタッチキーを上から見た平面図である。１はガラス、プラスチック等の電気絶縁物よりなるパネル部で、パネル部１の表面に表側電極２と裏面に裏側電極３を有して電極部が形成されている。表側電極２はタッチ用の電極部で、電気抵抗の小さい導電体よりなる線状部７を有している。表側電極２とパネル部１および裏側電極３でコンデンサＣ１を構成し、裏側電極３に接触電極６を介して発振部４からの高周波電圧を印加する。この高周波電圧は検知部５で検知されるが、表側電極２にタッチしないときには高い電圧が、タッチしたときには表側電極２、裏側電極３パネル部１で構成するコンデンサＣ１及びタッチした人を通じて高周波電圧はバイパスされるため低い電圧が検知される。この電圧差が所定値以上あればタッチしたと判定する。さらに表側電極２に導電性の線状部７があるため、この線状部７のどこをタッチしても発振部４からの高周波電圧はコンデンサＣ１、線状部７、タッチした人を通じてバイパスされ、タッチを検知することができる。従って、線状部７を長くのばすことで、この線状部７のどこをタッチしてもタッチを検知できるため、長い領域にわたってタッチキーを構成することができる。
【００１８】
（実施の形態２）
本発明の第２の実施例を図３に示す。１１は電磁調理器等のスイッチ等の操作部９および液晶等の表示部１０を有する機器である。操作部９および表示部１０は水等によって濡れると誤動作または破壊などの原因となり、濡らしたくないものである。８は表側電極２に接続した導電性の線状部で、操作部９及び表示部１０を取り囲んで設置している。従って、この線状部８に水等が流れてきて線状部８に接すると、高周波電圧は表側電極２、線状部８、水等を通じてバイパスし、線状部８に水等が付いたと判定するものである。線状部８に水等が付いたことを検知できれば、操作部９や表示部１０が濡れる前にブザーや発光ダイオード等で警報を発したり動作を停止させたり等、検出後の処理は容易である。
【００１９】
（実施の形態３）
本発明の第３の実施例を図４に示す。１２は電磁調理器等のフラットパネル１を有する機器である。１３は人がタッチすると、それを検知して例えば設定温度を上げたりあるいは下げたり、または電源を入れたり切ったりするタッチキーで、左右の鍋置き部１７、１８に対応して３個づつ計６個のタッチキーを有している。２は表側電極で導電性線状部１４を有し、この導電性線状部１４は人が操作するタッチキー部１３を囲んで設置してある。１６は電磁調理器等の周囲を囲む金属製のフレームである。以上の構成で動作を説明すると、水等１９をこぼして操作タッチキー１３のどれかとフレームが水等１９で短絡したとき、タッチキーの電極部よりフレーム１６に発振部からの高周波電圧かバイパスされるため、タッチしたとみなして誤動作する。これを防ぐためタッチキーの電極部１３に水等が接触する前に、線状部１４に接触させ、表側電極２より線状部１４を通じて高周波電圧をバイパスし、警報を発するなり、動作を停止させるなりするものである。また、鍋置き部１７または１８に置いた鍋から水や煮汁がこぼれてタッチキー部１３に接近しても、線状部１４に接触し、これを検知することができるものである。
【００２０】
（実施の形態４）
本発明の第４の実施例を図５に示す。本実施例では導電性線状部１５をパネル部１の周囲に設置したもので、パネル部１に小動物、例えば猫、ネズミ等が侵入したとき、線状部１５に触れ、小動物の侵入を検知することができるものである。また、パネル部に水がこぼれたり、外部から水が流れて来てパネル部１に侵入したとき、水が線状部１５に触れ検知することができるものである。
【００２１】
（実施の形態５）
本発明の第５の実施例を図６に示す。本実施例では導電性の線状部１９上に人がタッチする部位２０ａ、２０ｂ、２０ｃを設けるものである。この２０ａ、２０ｂ、２０ｃにタッチすることで、高周波電圧を表側電極２を通じてバイパスし、タッチを検知するものである。このように構成することで、電磁調理器等の機器の正面側だけでなく、後ろ側からあるいは片側から容易に操作できる機器を提供することができるものである。
【００２２】
以上述べたように、本タッチキーを電磁調理器に用いることにより、家庭内で安全で使いやすい電磁調理器を提供することができるものである。
【図面の簡単な説明】
【００２３】
【図１】本発明の実施例１におけるタッチキーの側面図
【図２】本発明の実施例１におけるタッチキーのパネル部の上面から見た電極部の平面図
【図３】本発明の実施例２におけるタッチキーの見取り図
【図４】本発明の実施例３におけるタッチキーの見取り図
【図５】本発明の実施例４におけるタッチキーのパネル部の上面から見た電極部の平面図
【図６】本発明の実施例５におけるタッチキーのパネル部の上面から見た電極部の平面図
【図７】タッチキーの従来例の側面図
【図８】タッチキーを電磁調理器に用いた従来例を示す図
【符号の説明】
【００２４】
１  パネル部
２  表側電極
３  裏側電極
２２、２３、２４、２５、２６、２７、２８、２９  電極部
４  発振部
５  検知部
７、８、１４、１５、１９  線状部
９  操作部
１０  表示部
１３  タッチキー
２０ａ、２０ｂ、２０ｃ、２０ｄ  タッチ部
１１、１２  電磁調理器
【図１】
2005166392.tif 000003
【図２】
2005166392.tif 000004
【図３】
2005166392.tif 000005
【図４】
2005166392.tif 000006
【図５】
2005166392.tif 000007
【図６】
2005166392.tif 000008
【図７】
2005166392.tif 000009
【図８】
2005166392.tif 000010